(57)【要約】【課題】  限られた印字範囲内で記録されている番組の内容をユーザが把握するために適切な情報を選択して光記録媒体に画像形成できるようにする。【解決手段】  記録装置１は、光記録媒体に光学的に情報の記録を行なう光記録装置５と、光記録媒体に形成された感熱記録媒体に画像形成を行うサーマル記録装置６とを備えている。光記録装置５で光記録媒体にＴＶ放送の番組の動画を記録するときは、ＴＶ放送自体や電子番組表などのＴＶ放送の情報、本記録装置１が保持する情報、又は光記録媒体に記録済みの情報から光記録装置５で記録を行なった番組に関する情報を取得する。そして、その情報をサーマル記録装置６で光記録媒体に形成された感熱記録媒体に画像形成する。【選択図】    図２
2005310240.tif 000002
【特許請求の範囲】
【請求項１】
光記録媒体に光学的に情報の記録を行なう光記録装置と、
前記光記録媒体に画像形成を行う画像形成装置と、
前記光記録装置で前記光記録媒体にＴＶ放送の番組の動画を記録するときは前記ＴＶ放送の情報、本装置の情報、又は前記光記録媒体に記録済みの情報から前記記録を行なった前記番組に関する情報を取得する手段と、
この番組に関する情報を前記画像形成装置で前記光記録媒体に画像形成する手段と、
を備えている記録装置。
【請求項２】
前記情報を取得する手段は、前記番組に関する情報として当該番組の番組名を取得する、請求項１に記載の記録装置。
【請求項３】
前記情報を取得する手段は、前記番組に関する情報として当該番組について前記記録を行なった録画日時を取得する、請求項１又は２に記載の記録装置。
【請求項４】
前記情報を取得する手段は、前記番組に関する情報として当該番組について前記記録を行なうときの画質モードを取得する、請求項１〜３のいずれかの一に記載の記録装置。
【請求項５】
前記情報を取得する手段は、前記番組に関する情報として前記記録を行なう前記番組の１コマの画像を取得する、請求項１〜４のいずれかの一に記載の記録装置。
【請求項６】
前記情報を取得する手段は、前記番組に関する情報として前記記録を行なった後の前記光記録媒体の録画残時間を取得する、請求項１〜５のいずれかの一に記載の記録装置。
【請求項７】
前記情報を取得する手段は、前記番組に関する情報として当該番組の出演者名を取得する、請求項１〜６のいずれかの一に記載の記録装置。
【請求項８】
前記情報を取得する手段は、前記番組に関する情報として当該番組の番組説明を取得する、請求項１〜７のいずれかの一に記載の記録装置。
【請求項９】
前記情報を取得する手段は、前記番組に関する情報として当該番組のジャンル名を取得する、請求項１〜８のいずれかの一に記載の記録装置。
【請求項１０】
前記情報を取得する手段は、前記番組に関する情報として前記記録を行なった前記番組の録画時間を取得する、請求項１〜９のいずれかの一に記載の記録装置。
【請求項１１】
前記情報を取得する手段は、前記番組に関する情報として前記光記録媒体の種類を取得する、請求項１〜１０のいずれかの一に記載の記録装置。
【請求項１２】
前記情報を取得する手段は、前記番組に関する情報として予め設定されている前記光記録媒体の種類を取得する、請求項１〜１１のいずれかの一に記載の記録装置。
【請求項１３】
前記光記録媒体に記録する番組が複数あるときは、予め設定された数の最新の番組の情報についてのみ前記画像形成を行う手段をさらに備えている、請求項１〜１２のいずれかの一に記載の記録装置。
【請求項１４】
前記画像形成する番組に関する情報の各項目は予め設定されている優先順位に基づき前記記録を行なう番組の数に応じて取捨選択して前記画像形成を行う手段をさらに備えている、請求項１〜１３のいずれかの一に記載の記録装置。
【請求項１５】
前記画像形成しようとする文字数からその画像形成に用いる文字サイズを選択する手段をさらに備えている、請求項１〜１４のいずれかの一に記載の記録装置。
【請求項１６】
前記光記録媒体に同一番組の異なる回の画像を複数記録するときは、単一の前記番組名とともに当該記録しようとする各回の録画日時について前記画像形成を行う手段をさらに備えている、請求項１〜１５のいずれかの一に記載の記録装置。
【請求項１７】
前記光記録媒体に記録されている情報を再生する手段と、
前記再生が行なわれたときは当該再生が行なわれたことを示す情報を前記画像形成装置で前記光記録媒体に画像形成する手段と、
をさらに備えている請求項１〜１６のいずれかの一に記載の記録装置。
【請求項１８】
前記画像形成装置は、前記光記録媒体に形成された印字媒体に書き換え可能に画像形成を行う、請求項１〜１７のいずれかの一に記載の記録装置。
【請求項１９】
光記録媒体に光学的に情報の記録を行なう光記録装置で前記光記録媒体にＴＶ放送の番組の動画を記録するときは前記ＴＶ放送の情報、本プログラムが利用される装置の情報、又は前記光記録媒体に記録済みの情報から前記記録を行なった前記番組に関する情報を取得する手段と、
この番組に関する情報を画像形成装置で前記光記録媒体に画像形成する手段と、
をコンピュータに実行させるコンピュータに読み取り可能なプログラム。
【請求項２０】
前記情報を取得する手段は、前記番組に関する情報として当該番組の番組名を取得する、請求項１９に記載のプログラム。
【請求項２１】
前記情報を取得する手段は、前記番組に関する情報として当該番組について前記記録を行なった録画日時を取得する、請求項１９又は２０に記載のプログラム。
【請求項２２】
前記情報を取得する手段は、前記番組に関する情報として当該番組について前記記録を行なうときの画質モードを取得する、請求項１９〜２１のいずれかの一に記載のプログラム。
【請求項２３】
前記情報を取得する手段は、前記番組に関する情報として前記記録を行なう前記番組の１コマの画像を取得する、請求項１９〜２２のいずれかの一に記載のプログラム。
【請求項２４】
前記情報を取得する手段は、前記番組に関する情報として前記記録を行なった後の前記光記録媒体の録画残時間を取得する、請求項１９〜２３のいずれかの一に記載のプログラム。
【請求項２５】
前記情報を取得する手段は、前記番組に関する情報として当該番組の出演者名を取得する、請求項１９〜２４のいずれかの一に記載のプログラム。
【請求項２６】
前記情報を取得する手段は、前記番組に関する情報として当該番組の番組説明を取得する、請求項１９〜２５のいずれかの一に記載のプログラム。
【請求項２７】
前記情報を取得する手段は、前記番組に関する情報として当該番組のジャンル名を取得する、請求項１９〜２６のいずれかの一に記載のプログラム。
【請求項２８】
前記情報を取得する手段は、前記番組に関する情報として前記記録を行なった前記番組の録画時間を取得する、請求項１９〜２７のいずれかの一に記載のプログラム。
【請求項２９】
前記情報を取得する手段は、前記番組に関する情報として前記光記録媒体の種類を取得する、請求項１９〜２８のいずれかの一に記載のプログラム。
【請求項３０】
前記情報を取得する手段は、前記番組に関する情報として予め設定されている前記光記録媒体の種類を取得する、請求項１９〜２９のいずれかの一に記載のプログラム。
【請求項３１】
前記光記録媒体に記録する番組が複数あるときは、予め設定された数の最新の番組の情報についてのみ前記画像形成を行う手段をさらにコンピュータに実行させる、請求項１９〜３０のいずれかの一に記載のプログラム。
【請求項３２】
前記画像形成する番組に関する情報の各項目は予め設定されている優先順位に基づき前記記録を行なう番組の数に応じて取捨選択して前記画像形成を行う手段をさらにコンピュータに実行させる、請求項１９〜３１のいずれかの一に記載のプログラム。
【請求項３３】
前記画像形成しようとする文字数からその画像形成に用いる文字サイズを選択する手段をさらにコンピュータに実行させる、請求項１９〜３２のいずれかの一に記載のプログラム。
【請求項３４】
前記光記録媒体に同一番組の異なる回の画像を複数記録するときは、単一の前記番組名とともに当該記録しようとする各回の録画日時について前記画像形成を行う手段をさらにコンピュータに実行させる、請求項１９〜３３のいずれかの一に記載のプログラム。
【請求項３５】
前記光記録媒体に記録されている情報を再生する手段と、
前記再生が行なわれたときは当該再生が行なわれたことを示す情報を前記画像形成装置で前記光記録媒体に画像形成する手段と、
をさらにコンピュータに実行させる請求項１９〜３４のいずれかの一に記載のプログラム。
【請求項３６】
請求項１９〜３５のいずれかの一に記載のプログラムを記憶している、記憶媒体。
【請求項３７】
光学的に情報の記録が可能な光記録面と、
加熱により書き換え可能に画像の形成が可能な感熱記録媒体と、
が形成されている光記録媒体。
【発明の詳細な説明】
【技術分野】
【０００１】
本発明は、光学的に情報の記録が可能な記録装置、この記録装置を実現するためのプログラム、このプログラムを記憶している記憶媒体、及び記録装置に好適な光記録媒体に関する。
【背景技術】
【０００２】
熱により可視像の記録、消去を繰返すことができる感熱記録媒体、及びこの感熱記録媒体に画像の記録を行なう記録装置については、特許文献１に開示されている。
【０００３】
【特許文献１】特開平８−３１８６３４号公報
【発明の開示】
【発明が解決しようとする課題】
【０００４】
記録可能なＤＶＤ（Digital Versatile Disc）に、ＴＶ番組の画像やその他の大容量データをＤＶＤレコーダ、ＤＶＤドライブを備えたパソコンなどで記録することが広く行なわれている。このような記録を行なうユーザは、記録済みのＤＶＤが増えるとどのような内容のデータがどのＤＶＤに記録されているかがわからなくなってしまうため、ＤＶＤのレーベル面に記録データのタイトルを手書きするなどをして整理しておく必要がある。
【０００５】
しかし、このような作業は煩雑であるため、ＤＶＤレコーダ、パソコンが、記録するデータの内容を判断して自動でＤＶＤのレーベル面などに記録データの内容を判断できる情報（タイトルなど）を記録できるようにすれば、ユーザの便宜を図ることができる。
【０００６】
そこで、例えば、熱により可視像の記録、消去を繰返すことができる感熱記録媒体（サーマルリライタブル、ダイレクトサーマル）などの印字媒体をＤＶＤのレーベル面に形成し、ＤＶＤレコーダ、ＤＶＤドライブなどに印字媒体に文字や画像を印字できる記録装置を設けることが考えられる。
【０００７】
しかしながら、ＤＶＤのレーベル面は文字や画像を印字できる範囲が狭く、限られた印字範囲内でＤＶＤに記録されているデータをユーザが把握するために適切な情報を選択して印字する必要がある。
【０００８】
本発明の目的は、限られた印字範囲内で記録されている番組の内容をユーザが把握するために適切な情報を選択して光記録媒体に画像形成できるようにすることである。
【課題を解決するための手段】
【０００９】
本発明は、光記録媒体に光学的に情報の記録を行なう光記録装置と、前記光記録媒体に画像形成を行う画像形成装置と、前記光記録装置で前記光記録媒体にＴＶ放送の番組の動画を記録するときは前記ＴＶ放送の情報、本装置の情報、又は前記光記録媒体に記録済みの情報から前記記録を行なった前記番組に関する情報を取得する手段と、この番組に関する情報を前記画像形成装置で前記光記録媒体に画像形成する手段と、を備えている記録装置である。
【００１０】
別の面から見た本発明は、光記録媒体に光学的に情報の記録を行なう光記録装置で前記光記録媒体にＴＶ放送の番組の動画を記録するときは前記ＴＶ放送の情報、本プログラムが利用される装置の情報、又は前記光記録媒体に記録済みの情報から前記記録を行なった前記番組に関する情報を取得する手段と、この番組に関する情報を画像形成装置で前記光記録媒体に画像形成する手段と、をコンピュータに実行させるコンピュータに読み取り可能なプログラムである。
【００１１】
別の面から見た本発明は、光学的に情報の記録が可能な光記録面と、加熱により書き換え可能に画像の形成が可能な感熱記録媒体と、が形成されている光記録媒体である。
【発明の効果】
【００１２】
本発明の記録装置、プログラムによれば、ＴＶ放送の情報（ＴＶ番組自体の情報や電子番組表の情報など）、記録装置などの情報、又は光記録媒体に記録済みの情報から、光記録媒体に記録する番組の適切な情報を取得して光記録媒体に画像形成するので、限られた印字範囲内で記録されている番組の内容をユーザが把握するために適切な情報を選択して光記録媒体に画像形成することができる。
【００１３】
本発明の光記録媒体によれば、加熱により光記録媒体に書き換え可能に画像形成できるので、簡易な画像形成装置により何度も記録内容の書き換えを行なうことができる。
【発明を実施するための最良の形態】
【００１４】
発明を実施するための最良の一形態について説明する。
【００１５】
図１は、本実施の形態の光記録媒体１０１のレーベル面側の平面図である。この光記録媒体１０１は、光学的に情報の記録を行なうことができるＣＤ（Compact Disc）、ＤＶＤ（Digital Versatile Disc）などである。具体的には、ＤＶＤ±Ｒなどの１回だけの情報の記録が行なえるものや、ＤＶＤ−ＲＡＭ、ＤＶＤ−ＲＷなどの情報の書き換え可能なものを用いることができる。光記録媒体１０１の光学的な情報の記録面は、図１に図示している面とは反対側の面に形成されている。
【００１６】
光記録媒体１０１のレーベル面１０２には、所定の記録方式で文字や画像を印字することができる印字媒体１０３が形成されている。この印字媒体１０３は、例えば、サーマルヘッドで加熱することにより加熱部分が発色して文字などの画像を印字できる感熱記録媒体を用いることができる。この印字媒体である感熱記録媒体１０３としては、一度だけ印字できるもの（ダイレクトサーマル）も、書き換え可能なもの（サーマルリライタブル）も適用することができる。
【００１７】
ダイレクトサーマル技術としては、例えば、支持体にＹ，Ｍ，Ｃ各色の記録層が重ねて形成され、サーマルヘッドと定着用ランプを用いて画像を印字する周知の直接感熱記録方式の感熱記録媒体を感熱記録媒体１０３として用いることができる。
【００１８】
また、サーマルヘッドの熱により可視像の記録、消去を繰返すことができるサーマルリライタブル技術の感熱記録媒体や、その記録装置についても周知である（必要であれば、特開平８−３１８６３４号公報を参照）。
【００１９】
また、インクジェット方式など、その他の一度だけ印字できる（ライトワンス）あるいは書き換え可能な（リライタブル）印字方式を用いることもできる。
【００２０】
次に、光記録媒体１０１で記録を行なう記録装置について説明する。
【００２１】
図２は、記録装置１の一構成例を説明するブロック図である。図２の記録装置１は、具体的にはＴＶ番組などの動画像を記録するＤＶＤレコーダなどである。
【００２２】
記録装置１は、マイコンを備え光記録装置１の全体を集中的に制御するメイン制御部２と、アナログやデジタルの地上放送、衛星放送、ケーブル放送のＴＶ放送を受信するＴＶチューナ３と、このＴＶ放送の動画像や音声をＭＰＥＧ−２などの方式で圧縮符号化する圧縮器４と、光記録媒体１０１の光記録面に圧縮器４で圧縮符号化後の画像データを、ＤＶＤ±Ｒ、ＤＶＤ−ＲＡＭ、ＤＶＤ−ＲＷなどの方式で光記録する光記録装置５と、光記録媒体１０１の感熱記録媒体１０３にサーマルヘッドで文字や画像を印字する画像形成装置であるサーマル記録装置６と、所定の液晶パネルやＴＶ受像機１１に様々なメッセージを表示する表示装置７と、ユーザから各種の操作を受け付ける操作パネル８と、ＴＶチューナ３で受信した画像や光記録媒体１０１を再生してＴＶ受像機１１に表示する再生装置９と、を備えている。
【００２３】
図３は、記録装置１の別の構成例を説明するブロック図である。図３の記録装置１は、具体的には光ディスクドライブを備えたパーソナルコンピュータ（ＰＣ）などである。
【００２４】
図３の記録装置１は、各種演算を行ない、装置の各部を集中的に制御するＣＰＵ２１と、各種のＲＯＭ、ＲＡＭからなるメモリ２２とが、バス２３で接続されている。
【００２５】
バス２３には、所定のインターフェースを介して、ハードディスクなどの磁気記憶装置２４と、キーボード、マウスなどの入力装置２５と、表示装置２６とが接続され、また、ネットワーク１２と通信を行なう所定の通信制御装置２９が接続されている。なお、記憶媒体２７としては、ＣＤ，ＤＶＤなどの光ディスク、光磁気ディスク、フレキシブルディスクなどの各種メディアを用いることができる。また、記憶媒体読取装置２８は、具体的には記憶媒体２７の種類に応じて光ディスク装置、光磁気ディスク装置、フレキシブルディスク装置などが用いられる。
【００２６】
また、バス２３には、アナログやデジタルの地上放送、衛星放送、ケーブル放送のＴＶ放送を受信するＴＶチューナ３と、光ディスクドライブ装置３１とが接続されている。光ディスクドライブ装置３１には図２の例と同様の光記録装置５と、画像形成装置であるサーマル記録装置６とが搭載されている。なお、記憶媒体読取装置２８は、光ディスクドライブ装置３１が兼用していてもよい。
【００２７】
記録装置１は、記憶媒体２７から、プログラム３０を読み取って、磁気記憶装置２４にインストールする。これらのプログラム３０はインターネットなどのネットワーク１２等を介してダウンロードしてインストールするようにしてもよい。このインストールにより、後述するような処理を実行することが可能となる。すなわち、プログラム３０に基づいて記録装置１が実行する処理により、光ディスクドライブ装置３１を制御して、光記録媒体１０１への光記録や、その感熱記録媒体１０３への印字を実行する。また、ＴＶチューナ３で受信したＴＶ放送や、光記録媒体１０１に記録されている動画像を再生して表示装置２６に表示する制御なども実行する。なお、プログラム３０は、所定のＯＳ上で動作するものであってもよい。
【００２８】
また、図２、図３の記録装置１においては、光記録媒体１０１を、レーベル面１０２を上にして図示しないトレイに装填して装置内に収容すると、光記録媒体１０１の下側から光記録面に光記録装置５により光記録することができる。また、光記録媒体１０１の上側からは感熱記録媒体１０３にサーマル記録装置６で感熱記録を行なうことができる。
【００２９】
次に、図２、図３の記録装置１が実行する特徴的な処理について説明する。以下では、ＴＶチューナ３で受信した番組を光記録媒体１０１に光記録する場合を例として説明する。
【００３０】
図４は、記録装置１が実行する処理の概略を説明するフローチャートである。まず、ユーザが所望のＴＶ放送を光記録媒体１０１に光記録し、このＴＶ放送の記録が終了したときに（ステップＳ１のＹ）、ステップＳ２以下の処理を実行する。ここで、ＴＶ放送の記録が終了したときとは、１本の番組の録画が終了したときをいうが、複数本の番組を連続して録画するときは、この複数本の番組が終了したときである。
【００３１】
ＴＶ放送の番組の記録が終了すると（ステップＳ１のＹ）、まず、ＴＶチューナ３で受信した番組の画像データ、番組表（ＥＰＧ：エレクトリック・プログラム・ガイド）のデータ、及び記録装置１が保持しているデータから必要な情報を取得する（ステップＳ２）。この情報は、ステップＳ１で光記録媒体１０１に光記録した番組に関する情報である。そして、この取得した情報を所定の形式の画像の画像データに変換して（ステップＳ３）、この画像データに基づいてサーマル記録装置６で感熱記録媒体１０３に画像形成を行なう（ステップＳ４）。
【００３２】
ところで、光記録媒体１０１にある番組を記録した後、別の番組を追記して記録する場合がある。この場合に、感熱記録媒体１０３がサーマル記録装置５で１回のみの記録しか行なえないときは、前回、感熱記録媒体１０３のどこまで記録したかを判定し、その記録部分以降に新たな番組の情報を記録する必要がある。
【００３３】
しかしながら、前回、感熱記録媒体１０３のどこまで記録したかを判断するのは煩雑である。そこで、感熱記録媒体１０３がサーマル記録装置５で書き換え可能であれば、前回の記録部分を消去し、前回の番組の分と今回の番組の分とを最初から記録しなおせばよいので、前回、感熱記録媒体１０３のどこまで記録したかを判断する必要はなくなる。
【００３４】
この場合に、光記録媒体１０１の光記録面に番組の画像などの他に、感熱記録媒体１０３に記録する情報を記録したファイルも記録するようにすれば、前回記録した番組の感熱記録媒体１０３への記録情報についても当該ファイルを読み取ることで、前回の番組の分と今回の番組の分とを最初から記録しなおすのに便利である。しかし、このようなファイルを光記録媒体１０１の光記録面に記録することは必須ではない。すなわち、光記録媒体１０１には前回の番組の情報自体が記録されているので、この番組の情報から感熱記録媒体１０３に記録するのに必要な情報を読み取ることも可能であるからである。よって、感熱記録媒体１０３に記録する情報の情報源は、ＴＶ放送の番組自体の情報、ＥＰＧの情報などのＴＶ放送の情報、本記録装置１が保持している情報、又は光記録媒体１０１に記録済みの情報のいずれかということになる。
【００３５】
なお、光記録媒体１０１に従前に記録した番組情報のファイルを記録装置１の各メーカで共通にし、異なるメーカの記録装置１に光記録媒体１０１を装填してもファイルの情報が正しく認識できるように規格統一するのが望ましい。
【００３６】
また、感熱記録媒体１０３を前述のように１回のみの記録（ライトワンス）として実施することもできるが、この場合の感熱記録媒体１０３への記録は、光記録媒体１０１であるＤＶＤ−ＲやＤＶＤ＋Ｒの光記録面への記録においてセッションをクローズする際に行なうことが考えられる。セッションクローズすることによって追記は不可能になるが、ＤＶＤプレーヤなどでの再生が可能になる。
【００３７】
以下では、ステップＳ２以下の処理の詳細について説明する。
【００３８】
まず、必要な情報を取得する処理（ステップＳ２）の詳細について説明する。取得する情報は以下のような内容であり、これが表示情報となる。
【００３９】
・番組名
「番組名」はＥＰＧのデータから取得することができる。
【００４０】
・録画日時
録画がされた“平成○○年○○月○○日”というデータである。放送中のＴＶ番組をリアルタイムで録画する場合には、「録画日時」はＥＰＧのデータから取得することができ、また、記録装置１が内蔵する時計から取得することもできる。
【００４１】
・画質モード
録画に際してユーザが設定した、“３倍モード”“標準モード”などの画質に関するモードの情報である。記録装置１でユーザが設定するので、この情報は記録装置１に保持されている。
【００４２】
・番組画像
録画された動画の１コマの画像である。これは、録画する番組の動画像データから取得することができる。これは、例えば、番組開始後一定時間が経過した時点の画像を１コマ取り出して用いればよい。
【００４３】
・所有者名
光記録媒体１０１の所有者名である。これは、予め記録装置１に登録しておき、その登録データを利用することができる。
【００４４】
・録画残時間
これは、光記録媒体１０１の残りの記憶容量から判断することができる。但し、「録画残時間」は「画質モード」により異なるため、“３倍モード３０分”“標準モード１０分”のように「画質モード」ごとに表示する必要がある。
【００４５】
・出演者名
これはＥＰＧのデータから取得することができる。
【００４６】
・番組説明
これもＥＰＧのデータから取得することができる。
【００４７】
・ジャンル名
録画した番組のジャンル名、すなわち、“スポーツ”“ドラマ”“映画”“ニュース”などの名称である。これはＥＰＧのデータから取得することができる。
【００４８】
・録画時間
録画した番組の時間であり、“３０分”“６０分”のように表示される。録画時間は、記録装置１が内蔵する時計から判断することもできるし、
・光記録媒体の種類
番組を録画した光記録媒体１０１の種類が、ＤＶＤ−Ｒ、ＤＶＤ＋Ｒ、ＤＶＤ−ＲＡＭ、ＤＶＤ−ＲＷなどの中のいずれであるのかを示す情報である。これは、光記録媒体１０１への記録を開始する前に記録装置１が光記録媒体１０１から読み取って保持している。ＤＶＤ−ＲＡＭなら“ＲＡＭ”、ＤＶＤ−ＲＷなら“ＲＷ”などのように表示すればよい。
【００４９】
ステップＳ２で取得した情報を所定の形式の画像の画像データに変換する処理（ステップＳ３）について説明する。すなわち、この処理では、以下のように表示するデータの取捨選択などを行なう。
【００５０】
（１）まず、光記録媒体１０１に記録する番組が複数あるときは、予め設定された数の最新の番組の情報のみを選択して表示し、その他の番組については番組数のみを表示する。最新の番組がどれかは「録画日時」で判断する。
【００５１】
（２）前述の「番組名」他の表示情報に予め優先順位が設定されていて、表示しようとする番組数に応じて表示する表示情報を選択する。つまり、表示しようとする番組数が多いほど、設定されている優先順位の低いものから表示情報を削除する。具体的には、光記録媒体１０１の感熱記録媒体１０３に画像形成できる範囲には限界があるので、印字しようとする文字数などから表示する表示情報を選択するようにする。
【００５２】
（３）光記録媒体１０１の感熱記録媒体１０３に画像形成できる範囲には限界があるので、印字しようとする文字数などから印字に用いる文字サイズを選択する。すなわち、印字しようとする文字数が多いほど小さな文字サイズを選択する。
【００５３】
（４）１枚の光記録媒体１０１に同じ番組の異なる回の画像を複数記録する場合もある。このときは、「番組名」は共通であるため、単一の「番組名」を表示し、各回の「録画日時」を単一の「番組名」とともに表示する。
【００５４】
そして、以上のように変換されたデータがサーマル記録装置６で感熱記録媒体１０３に画像形成される（ステップＳ４）。
【００５５】
また、このようにして記録された光記録媒体１０１を記録装置１で再生するときには、図５のような処理を実行してもよい。すなわち、光記録媒体１０１に記録されているある番組を再生したときは（ステップＳ１１のＹ）、その再生の終了後に、「視聴済」の文字など、再生が行なわれたことを示す情報を当該番組の「番組名」などの表示情報の記録されている欄に記録する（ステップＳ１２）。
【００５６】
図６は、図４、図５の処理を行なうために予めユーザが行なう設定処理について説明するフローチャートである。
【００５７】
まず、光記録媒体１０１に記録する番組が複数あるときは、最新の番組の情報のみを選択して表示するときの最新の番組数を選択する（ステップＳ２１のＹ）。この例では、最新の２番組の情報のみを選択して表示するように設定するものとする。また、各表示情報に付する優先順位を選択する（ステップＳ２２のＹ）。この例では、「番組名」「録画日時」を最重要、「画質モード」「番組画像」「所有者名」「光記録媒体の種類」を重要、「録画残時間」「出演者」「番組説明」「ジャンル名」「録画時間」を普通として、３段階に重要度を設定するものとする。そして、その内容でよければ（ステップＳ２３のＹ）、その内容で設定され（ステップＳ２４）、設定内容が不揮発性のメモリなどに記録される。なお、この他に、図５の処理を実行するか否かの設定なども行なうようにしてもよい。
【００５８】
図７は、図４、図５の処理によりサーマル記録装置５で形成された感熱記録媒体１０３の画像の一例を示すものである。この例では、４番組記録されているが、ステップＳ２１で２番組の情報のみを選択して表示するように設定したので、（１）（２）の２番組のみ表示されている。そして、ステップＳ２２で「番組名」「録画日時」を最重要、「画質モード」「番組画像」「所有者名」「光記録媒体の種類」を重要、「録画残時間」「出演者」「番組説明」「ジャンル名」「録画時間」を普通として、３段階に重要度を設定しているので、この例では、“普通”の重要度とされている「録画残時間」「ジャンル名」「録画時間」については記録を省略し、（１）（２）の２番組のそれぞれについて、「番組名」（符号３０１）、「録画日時」（符号３０２）、「画質モード」（符号３０３）、「番組画像」（符号３０４）がそれぞれ記録され、「所有者名」（符号３０５）、「光記録媒体の種類」（符号３０６）も記録されている。また、（２）の番組については２回分の放送が記録されているので、「録画日時」（符号３０２）については２回分記録され、「番組名」などの記録がない１番組のために、記録の最後に「他１番組」（符号３０７）の文字が記録されている。
【００５９】
また、その後、記録した番組をユーザが再生したときは、その再生した番組について図５の処理により「視聴済」（符号３０８）の文字が記録される。
【図面の簡単な説明】
【００６０】
【図１】本発明の一実施の形態である光記録媒体の構成を説明する説明図である。
【図２】本発明の一実施の形態である記録装置の構成例を説明する説明図である。
【図３】記録装置の他の構成例を説明する説明図である。
【図４】記録装置の動作を説明するフローチャートである。
【図５】記録装置の動作を説明するフローチャートである。
【図６】記録装置の動作を説明するフローチャートである。
【図７】記録装置で光記録媒体に画像形成した一例の説明図である。
【符号の説明】
【００６１】
１  記録装置
５  光記録装置
６  画像形成装置
２７  記憶媒体
３０  プログラム
１０１  光記録媒体
１０３  感熱記録媒体
３０１  番組名
３０２  録画日時
３０３  画質モード
３０４  番組画像
３０５  所有者名
３０６  光記録媒体の種類
【図１】
2005310240.tif 000003
【図２】
2005310240.tif 000004
【図３】
2005310240.tif 000005
【図４】
2005310240.tif 000006
【図５】
2005310240.tif 000007
【図６】
2005310240.tif 000008
【図７】
2005310240.tif 000009